(57)【要約】【課題】扉形前面部材のワイヤ等による不正な解錠が困難な遊技機を提供する。【解決手段】外本体に開閉可能に取付けた扉形前面部材と、扉形前面部材を施錠する錠装置３００とを有し、該錠装置は、錠主体３０２ａの錠軸３０２ｂ後方にカム部材３０２ｃを備え鍵無し状態で錠軸３０２ｂの回転が不能である錠部品３０２と、カム部材の回転を昇降運動に変換する昇降リンク３０４と、扉形前面部材を施錠すると共に昇降リンクに連動して解錠方向に動作する錠手段３０３とを備えた遊技機において、鍵無し状態にある錠部品３０２のカム部材３０２ｃの一部が昇降リンク３０４に係合するように両者を連携させ、もって回転不能な錠軸３０２ｂの抵抗で昇降リンク３０４の昇降運動が阻止されるようになし、一方、扉形前面部材の内側面及び外本体内側面と錠装置との間に、扉形前面部材の開き側と外本体との突き合わせ部に対向させて障壁部材を設けるようにした。【選択図】        図１
2008167823.tif 000002
【特許請求の範囲】
【請求項１】
前面が開口する箱形又は前面が開口する枠形の外本体と、
該外本体の前面に横開きの扉状に開閉可能に取り付けた扉形前面部材と、
該扉形前面部材を閉位置に施錠する錠装置と、を有し、
さらに前記錠装置は、
錠主体の後方に突出させた錠軸にカム部材を設けると共に前方から装着する鍵で錠軸とカム部材を回転させるようになし、鍵無し状態で錠軸の回転が不能である錠部品と、
前記錠部品のカム部材の回転運動を直線昇降運動に変換する昇降リンクと、
扉形前面部材を閉位置に施錠すると共に前記昇降リンクの直線昇降運動に連動して少なくともその施錠を解除する方向に動作する錠手段と、
を備えた遊技機において、
前記昇降リンクの施錠解除に至らない範囲の変位に対し、鍵無し状態にある錠部品のカム部材の一部が昇降リンクに係合するようにカム部材と昇降リンクを連携させ、もって施錠位置にある昇降リンクに解錠方向の不正な外力が作用した場合に、その外力がカム部材を介して錠軸に伝達され、回転不能な錠軸の抵抗で昇降リンクの直線昇降運動が阻止されるようになし、
一方、扉形前面部材の開き側内側面及びそれと同方向の外本体内側面と、錠装置との間に、扉形前面部材の開き側と外本体との突き合わせ部に対向させて障壁部材を設けるようにしたことを特徴とする遊技機。
【請求項２】
前記カム部材に３本の爪片を突設すると共に昇降リンクに３個の係合孔を上下に並べて穿設し、施錠時であって錠部品に鍵が無い状態のときカム部材の中央の爪片を昇降リンクの中央の係合孔に遊嵌させ、また、カム部材の回転に伴う上の爪片と昇降リンクの上の係合孔の係合をもって昇降リンクを移動させ、さらにカム部材の逆方向の回転に伴う下の爪片と昇降リンクの下の係合孔の係合をもって昇降リンクを逆向きに移動させ、その昇降リンクの上向き又は下向きの何れかの移動により扉形前面部材の施錠を解除させ、さらに昇降リンクの逆向きの移動によりそれ以外の仕事を行わせるようにしたことを特徴とする請求項１記載の遊技機。
【請求項３】
前記昇降リンクは、カム部材に係合して従動する原リンクと、該原リンクの端部にピンと長孔の組合せで接合した従リンクで構成し、
さらに前記ピンと長孔の組合せが、原リンクから解錠方向の力を受けた場合にピンと長孔の端部とが係合して従リンクに伝達し、逆に従リンクから解錠方向の力を受けた場合に長孔内をピンが移動して原リンクに伝達されない設定であることを特徴とする請求項１又は２記載の遊技機。
【発明の詳細な説明】
【技術分野】
【０００１】
本発明は、スロットマシン、パチンコ機などの遊技機に関する。
【背景技術】
【０００２】
スロットマシンやパチンコ機などの遊技機は、通常、前面が開口する箱形又は前面が開口する枠形の外本体と、該外本体の前面に横開きの扉状に開閉可能に取り付けた扉形前面部材と、該扉形前面部材を閉位置に施錠すると共に鍵を使って解錠する錠装置と、を備えている。そして、前記錠装置は、錠主体の後方に突出させた錠軸にカム部材を設けると共に前方から装着する鍵で錠軸とカム部材を回転させるようにした錠部品と、この錠部品のカム部材の回転運動を昇降運動に変換する昇降リンクと、扉形前面部材を閉位置に施錠すると共に前記昇降リンクの直線昇降運動に連動して少なくともその施錠を解除する方向に動作するフック形の錠手段と、から形成される。
【０００３】
しかして、前記扉形前面部材の開き側と外本体との突き合わせ部に生じる隙間にワイヤーを差し入れ、そのワイヤーを操って錠装置の昇降リンクを操作し、或いはその先の錠手段を操作することにより、扉形前面部材の施錠を不正に解除する行為が、従来より問題になっている。
このような不正行為に対抗する技術として、例えば、昇降リンクと錠部品の間に別途ロック機構を形成し、施錠位置にある昇降リンクに解錠方向の不正な外力が作用したとき、そのロック機構で昇降リンクの動きを止め、一方、鍵を使った正規の解錠操作時に、前記カム部材の回転力でロック機構を解除するようにしたものがある（特許文献１）。
【特許文献１】特開２００４−３２９２２８号公報  （段落０１０６，段落０１０７，図４３，図４４参照）
【発明の開示】
【発明が解決しようとする課題】
【０００４】
上記従来の遊技機は、錠装置に新たなロック機構を付加するものであるため、部品コストと製造コストが確実に上昇する。また、ロック機構は、機械式のリンク機構そのものであるから、故障するおそれがある。
また、カム部材の回転力でロック機構を解除する構造であるため、カム部材には、解錠に要する負荷以外に、ロック機構の解除に要する負荷が加わるから、鍵がこれまでより重くなる。
さらにまた、前記ロック機構は、機械式のリンク機構であるため、不正者によるワイヤー操作でロック自体が解除される可能性があり、そうした場合には、扉形前面部材の不正な解錠が阻止できない、などの問題点があった。
【課題を解決するための手段】
【０００５】
前面が開口する箱形又は前面が開口する枠形の外本体と、該外本体の前面に横開きの扉状に開閉可能に取り付けた扉形前面部材と、該扉形前面部材を閉位置に施錠する錠装置と、を有し、さらに前記錠装置は、錠主体の後方に突出させた錠軸にカム部材を設けると共に前方から装着する鍵で錠軸とカム部材を回転させるようになし、鍵無し状態で錠軸の回転が不能である錠部品と、前記錠部品のカム部材の回転運動を直線昇降運動に変換する昇降リンクと、扉形前面部材を閉位置に施錠すると共に前記昇降リンクの直線昇降運動に連動して少なくともその施錠を解除する方向に動作する錠手段と、を備えた遊技機において、
前記昇降リンクの施錠解除に至らない範囲の変位に対し、鍵無し状態にある錠部品のカム部材の一部が昇降リンクに係合するようにカム部材と昇降リンクを連携させ、もって施錠位置にある昇降リンクに解錠方向の不正な外力が作用した場合に、その外力がカム部材を介して錠軸に伝達され、回転不能な錠軸の抵抗で昇降リンクの直線昇降運動が阻止されるようになし、一方、扉形前面部材の開き側内側面及びそれと同方向の外本体内側面と、錠装置との間に、扉形前面部材の開き側と外本体との突き合わせ部に対向させて障壁部材を設けるようにした遊技機を提供する。
【０００６】
また、請求項２に記載したように、前記カム部材に３本の爪片を突設すると共に昇降リンクに３個の係合孔を上下に並べて穿設し、施錠時であって錠部品に鍵が無い状態のときカム部材の中央の爪片を昇降リンクの中央の係合孔に遊嵌させ、また、カム部材の回転に伴う上の爪片と昇降リンクの上の係合孔の係合をもって昇降リンクを移動させ、さらにカム部材の逆方向の回転に伴う下の爪片と昇降リンクの下の係合孔の係合をもって昇降リンクを逆向きに移動させ、その昇降リンクの上向き又は下向きの何れかの移動により扉形前面部材の施錠を解除させ、さらに昇降リンクの逆向きの移動によりそれ以外の仕事を行わせるようにした遊技機を提供する。
【０００７】
また、請求項３に記載したように、前記昇降リンクは、カム部材に係合して従動する原リンクと、該原リンクの端部にピンと長孔の組合せで接合した従リンクで構成し、さらに前記ピンと長孔の組合せが、原リンクから解錠方向の力を受けた場合にピンと長孔の端部とが係合して従リンクに伝達し、逆に従リンクから解錠方向の力を受けた場合に長孔内をピンが移動して原リンクに伝達されない設定である請求項１又は２記載の遊技機を提供する。
【発明の効果】
【０００８】
請求項１記載の遊技機によれば、昇降リンクの施錠解除に至らない範囲の変位に対し、鍵無し状態にある錠部品のカム部材の一部が昇降リンクに係合するようにカム部材と昇降リンクとを連携させ、もって施錠位置にある昇降リンクに解錠方向の不正な外力（昇降リンクに直接作用する外力のみならず、外本体と扉形前面部材とを実際に結合する錠手段を介して昇降リンクに作用する外力を含む。）が作用した場合に、その外力がカム部材を介して錠軸に伝達されるようにしたため、昇降リンクを操ろうとする不正な外力に対し錠軸で対抗できる。錠軸は、鍵無し状態で回転不能であるから、これと一体のカム部材と昇降リンクとを連携させるだけの単純な構成で、殆どコストをかけずに有効な不正防止対策が実現できる。よって、低コストに実施できる。また、カム部材でロック機構のような別部品を動かす構成になっていないため、鍵の操作が重くならない。
また、扉形前面部材の開き側と外本体の突き合わせ部に対向させて障壁部材を設けたことにより、機内へのワイヤー等の差込みが困難になることはもちろん、仮にワイヤーの差込みに成功したとしても、ワイヤーが複雑に曲がりくねるため、錠装置への細工が困難である。
さらにまた、ワイヤーが錠装置に偶然引っ掛かったとしても、曲がりくねったワイヤーを引っ張る抵抗は非常に大きいから、錠装置にまで大きな力が伝わらない。従って障壁部材は、錠軸を破壊する程の大きな力がワイヤーにより加えられる危険をも回避することができるから、前記の錠軸を利用した昇降リンクの不正防止策と組み合わせることにより、相乗的な効果を発揮する。
【０００９】
また、請求項２記載の遊技機によれば、カム部材に３本の爪片を形成し、昇降リンクに３個の係合孔を穿設するだけの簡単な加工で錠装置の不正が防止できるため、殆どコストが掛からず、また、構造が単純であるが故に故障のおそれも殆どない。また、カム部材の回転方向を使い分けることにより、扉形前面部材の解錠と、例えば、パチンコ機の場合はガラス扉の解錠を行い、スロットマシンの場合はエラー解除信号の入力を行う、というような扉形前面部材の解錠以外の仕事を行わせることができる。
【００１０】
また、請求項３記載の遊技機によれば、従リンクからの解錠方向の力がピンと長孔の組合せにより原リンクに伝わらないから、もし仮に従リンクに大きな力が加えられたとしても、原リンクと連携するカム部材や錠軸に過大な力が加わらない。
【発明を実施するための最良の形態】
【００１１】
以下に本発明の実施の形態をスロットマシンを例示して図面により説明する。なお、図１は要部拡大図を有する錠装置の斜視図、図２は錠装置の分解斜視図、図３は一部拡大図を有する錠装置の側面図、図４は錠部品に鍵を装着して解錠方向に回した状態を示す錠装置の側面図、図５は要部を示すスロットマシンの部分横断面図、図６（ａ）〜（ｃ）はカム部材の回転による変化を示す要部の正面図、図７は扉形前面部材を開いた状態を示すスロットマシンの斜視図、図８は図７のＡ，Ａ部の拡大図、図９はスロットマシンの斜視図、図１０は障壁部材の他の形態を示すスロットマシンの部分横断面図、図１１は従リンクの他の形態を示す錠装置の斜視図である。
【００１２】
図７に示すように、本発明のスロットマシン１は、前面が開口する箱形の外本体１００と、該外本体１００の前面に横開きの扉状に回動可能に取り付けた扉形前面部材２００と、該扉形前面部材２００を閉位置に施錠する錠装置３００と、を有する。
【００１３】
［外本体］
外本体１００は、底板１０１の左右に側板１０２，１０２を取着すると共に該側板１０２，１０２の頂部に天板１０３を設置して正面視縦長「口」字形の枠状となし、その枠の背に背板（図示せず）を固着して前面のみ開口する箱形に形成してなる。なお、パチンコ機の外本体は、背板のない枠形である。
この外本体１００の開口を構成する４枚の板１０１，１０２，１０２，１０３のうち、扉形前面部材２００の開き側に対応する図７において右側の側板１０２と、天板１０３及び底板１０１に、各板１０１，１０２，１０３の内側面から７ｍｍ程度の出幅で前方に突出する金属製の障壁部材４００が固着されている。この障壁部材４００は、図５に示したように、扉形前面部材２００と外本体１００との突き合わせ部Ｓに対向し、その突き合わせ部Ｓの隙間をガードしてワイヤー等の異物の差込みを困難にするものである。なお、障壁部材４００は、断面クランク形状にして突出部分４０１が側板１０２（天板１０３と底板１０１も同じ。）の中央寄りに位置するようになっている。そうすることにより障壁部材４００と扉形前面部材２００の内側面２００ａとの距離が狭められるから異物へのガードが堅くなる。
【００１４】
図７において、外本体１００内には、高さのほぼ中央に棚板状の仕切板１０４が設けられており、該仕切板１０４より下のスペースに、遊技媒体たるメダルを前記扉形前面部材２００の前面下部にあるメダル用受皿２０１に放出するメダル放出装置１０５と、メダル放出装置１０５からオーバーフローするメダルを貯めるメダル用補助収納箱１０６と、電源装置１０７等が設けられている。
【００１５】
前記メダル放出装置１０５は、駆動手段を内蔵した装置本体１０５ａにメダル貯留用のホッパ１０５ｂを取り付けたものであり、装置本体１０５ａの前面にメダルの放出口１０５ｃが設けられていて、ホッパ１０５ｂ内にあるメダルが前記駆動手段の作動により放出口１０５ｃに向けて１枚ずつ送り出される。また、ホッパ１０５ｂには溢れたメダルを排出させるオーバーフロー樋１０５ｄが設けてあり、そのオーバーフロー樋１０５ｄの突端下方に前記したメダル用補助収納箱１０６が臨む。なお、メダル放出装置１０５のメダル放出機構は、現在公知のどのようなものを採用してもよく、よって詳細な説明を省略する。
【００１６】
一方、外本体１００内の仕切板１０４より上のスペースには、複数の図柄を駆動手段で変動させる図柄変動表示装置１０８と、任意の画像を表示する液晶などの画像表示体１０９と、をケース部材１１０に納めた遊技ユニット１１１が着脱自在（交換自在）に装着されている。
【００１７】
［扉形前面部材］
図９に示すように、扉形前面部材２００は、表側の下方にメダル用受皿２０１を有し、また、表側のほぼ中央に操作部２０２が設けられている。この操作部２０２には、メダル投入用の投入口２０３と、メイン基板のメモリーにデータとして蓄えられているメダルから１枚のみの投入（引き落とし）を指示する１枚投入ボタン２０５と、同じく１回のゲームで使用可能な最高枚数（例えば３枚）の投入を指示するＭＡＸ投入ボタン２０６と、後述するメダルセレクタ２０７の中に詰まったメダルをメダル用受皿２０１に戻すためのメダル返却ボタン２０８と、メイン基板のメモリーにデータとして蓄えられているメダルの貯留解除命令（精算による放出命令）を入力するための貯留解除スイッチ２０９と、前記図柄変動表示装置１０８を作動させる始動レバー２１０と、図柄変動表示装置１０８の各リール１０８ａ，１０８ｂ，１０８ｃを停止させる３個のリール停止ボタン２１１ａ，２１１ｂ，２１１ｃ等が設けられている。
【００１８】
また、前記投入口２０３の裏側には図７に示すようにメダルセレクタ２０７が設けられており、そのメダルセレクタ２０７の横にメダル樋２１２が、また、下に返却樋２１３が接続している。メダルセレクタ２０７は内蔵したソレノイド（図示せず）をＯＮ・ＯＦＦさせることによって流路を切り替える公知のものであり、遊技者からのメダルの投入を待つ遊技状態のときには流路をメダル樋２１２側に、また、規定枚数を超えたメダルの投入など、メダルの投入を拒否する遊技状態のときには流路を返却樋２１３側に設定する。前記メダル樋２１２は、扉形前面部材２００が外本体１００の前面に被さる閉じ位置にあるときその突端がメダル放出装置１０５のホッパ１０５ｂ内に臨むようになっており、投入口２０３からメダルセレクタ２０７を通ってメダル樋２１２に流れたメダルはホッパ１０５ｂに行き着く。一方、前記返却樋２１３は表側のメダル用受皿２０１に繋がっており、投入口２０３からメダルセレクタ２０７を通って返却樋２１３に流れたメダルはメダル用受皿２０１に戻る。
【００１９】
扉形前面部材２００の上半部は、透明板を嵌めたゲーム用の透視窓２１４になっており、その透視窓２１４から前記画像表示体１０９と図柄変動表示装置１０８が上下に並んで見えるようになっている。
【００２０】
［錠装置］
錠装置３００は、図５，図７に示したように、扉形前面部材２００の開き側の裏面に取り付けられている。この錠装置３００は、平面視略Ｌ字形のベース部材３０１と、該ベース部材３０１にビス止めされた錠部品３０２と、ベース部材３０１の上下に揺動自在に軸着された錠手段３０３，３０３と、ベース部材３０１に昇降自在に支持された昇降リンク３０４と、から概略構成される。
【００２１】
［錠装置−ベース部材］
ベース部材３０１は、図１の斜視図、図２の分解斜視図、図５の断面図に示したように、扉形前面部材２００にビス止めする取付基板３０１ａと、該取付基板３０１ａの一側縁（具体的には図５に示したように、扉形前面部材２００の開き側内側面２００ａから離れた側の側縁）から直角に立ち上げた起立基板３０１ｂで構成される平面視略Ｌ字形の金属部品である。
【００２２】
なお、このベース部材３０１の起立基板３０１ｂの下端には、外本体１００に向けてローラ支片３０１ｃを突設し、該ローラ支片３０１ｃに回転自在な位置決めローラ３０１ｄが取り付けてある。この位置決めローラ３０１ｄは、外本体１００の底板１０１上に形成したローラ受け１０１ａ（図７，図８参照）に転がりながら乗り上げて扉形前面部材２００の開き側の高さを正確に保つためのものである。ベース部材３０１は、扉形前面部材２００の開き側にあってその下端にまで及ぶことより位置決めローラ３０１ｄを設けるに適した位置にあり、また、ベース部材３０１は、錠装置３００の支持母体であることより位置決めローラ３０１ｄを支えるに十分な強度を有しており、総合的に、ベース部材３０１の起立基板３０１ｂにローラ支片３０１ｃを突設して位置決めローラ３０１ｄを取り付けることは、コスト、精度、強度のあらゆる面で有利である。
【００２３】
また、ベース部材３０１の起立基板３０１ｂのほぼ中央の裏側（取付基板３０１ａの無い側）には、エラー解除用のリセット信号を発信するためのスイッチ３０１ｅが取り付けられている。このスイッチ３０１ｅは、２つのダイオード３０１ｆ，３０１ｆを対向させたフォトセンサであり、該ダイオード３０１ｆ，３０１ｆ同士の間に後述するスイッチ片３０４ｅが入るとこれを検知してリセット信号を発信する。
【００２４】
また、外本体１００の側板１０２の内側面１０２ａには扉形前面部材２００の開放を検知するためのスイッチ１１２が設けられており（図７参照）、前記ベース部材３０１の起立基板３０１ｂには図１に示すように該スイッチ１１２と対をなす押圧部材３０１ｇが取り付けられている。この押圧部材３０１ｇは、片持ち梁状の板バネ３０１ｈを備えており、該板バネ３０１ｈが弾性変形して前記スイッチ１１２に加わる衝撃を吸収しつつスイッチボタンを押圧する。このスイッチ１１２のＯＮ・ＯＦＦにより扉形前面部材２００の開閉が検知できる。
【００２５】
［錠装置−錠部品］
錠部品３０２は、図３，図４に示したように、円筒状の錠主体３０２ａと、該錠主体３０２ａに内嵌して後方に突出する錠軸３０２ｂと、その錠軸３０２ｂの端部に固着したカム部材３０２ｃで概略構成される。この錠部品３０２は、錠主体３０２ａと錠軸３０２ｂに複数の縦穴３０２ｄ，３０２ｄ…を形成し、各縦穴３０２ｄに上下に並べて一対のピン３０２ｅ，３０２ｆを装填し、図３拡大図の鍵無し状態でピン３０２ｅ，３０２ｆ同士の境界が錠主体３０２ａと錠軸３０２ｂの境界からずれて錠軸３０２ｂの回転を阻害し、さらに、錠軸３０２ｂに差し込んだ鍵Ｋによって、図４拡大図に示したようにピン３０２ｅ，３０２ｆ同士の境界と錠主体３０２ａと錠軸３０２ｂの境界とを一致させ、そうして錠軸３０２ｂの回転を可能にする、いわゆるピンタンブラー式シリンダー錠（例えば特公昭５８−４４８３２号参照。）である。この種の錠部品３０２は、鍵無し状態において錠軸３０２ｂのカム部材３０２ｃを捻っても回らない。
【００２６】
［錠装置−錠部品−カム部材］
カム部材３０２ｃは、前記ベース部材３０１の起立基板３０１ｂに向けて３本の爪片３０Ｈ，３０Ｃ，３０Ｌを突設した板カムであり（図６参照）、錠軸３０２ｂの軸端にビスで止められていて錠軸３０２ｂと一体に回転する。なお、ベース部材３０１の起立基板３０１ｂには、カム部材３０２ｃの爪片３０Ｈ，３０Ｃ，３０Ｌの回転軌道と交差する部分に長孔形態のカム旋回用スリット３０１ｉが形成されている（図２参照）。
【００２７】
［錠装置−錠手段］
図１〜図３に示すように、錠手段３０３，３０３は、ベース部材３０１の起立基板３０１ｂの上下に揺動軸３０３ａにより揺動自在に軸着された金属部品であり、先端に上向きの鍵部３０３ｂを有するフック形である。この錠手段３０３，３０３は、外本体１００の内側面１０２ａに固着した係留片３０３ｃ，３０３ｃ（図３，図５，図７参照）に前記鍵部３０３ｂを下から引っ掛けて扉形前面部材２００を閉じ位置に施錠するものであり、前記揺動軸３０３ａに通したスプリング３０３ｄで施錠方向（図３において反時計方向）に付勢されている。なお、実施形態の前記係留片３０３ｃ，３０３ｃは、前記障壁部材４００の後縁に一体に形成されており（図５参照）、従って、障壁部材４００を設置すると係留片３０３ｃ，３０３ｃの設置も同時に完了する。
【００２８】
［錠装置−昇降リンク］
昇降リンク３０４は、１本の原リンク３０４ａと２本の従リンク３０４ｂ，３０４ｃの組合せで構成され、ベース部材３０１の起立基板３０１ｂに昇降自在に支持されている。
前記原リンク３０４ａは、前記カム部材３０２ｃに係合して従動するものであり、カム部材３０２ｃの３本の爪片３０Ｈ，３０Ｃ，３０Ｌに対応させて３個の係合孔４０Ｈ，４０Ｃ，４０Ｌが縦一列に穿設されている。この原リンク３０４ａは、起立基板３０１ｂとの間に張設したコイルスプリング３０４ｄの牽引力によって常時上向きに付勢されている。なお、原リンク３０４ａには起立基板３０１ｂを横断してその裏側（取付基板３０１ａのない側）に臨む板状のスイッチ片３０４ｅが一体に形成されている。
一方、２本の従リンク３０４ｂ，３０４ｃのうち、原リンク３０４ａの上につながる従リンク３０４ｂは、上の錠手段３０３の揺動軸３０３ａより前（スロットマシン１の正面側を「前」、反対側を「後ろ」とする。以下同じ。）にピン３０３ｅで接合されている。また、原リンク３０４ａの下につながる従リンク３０４ｃも、下の錠手段３０３の揺動軸３０３ａより前にピン３０３ｆで接合されている。従って、昇降リンク３０４の上昇運動は、錠手段３０３を後傾させる解錠方向への揺動運動に変換される。
【００２９】
なお、従リンク３０４ｂ，３０４ｃと錠手段３０３，３０３を結合するための前記ピン３０３ｅ，３０３ｆは、錠手段３０３，３０３と一体であり、従リンク３０４ｂ，３０４ｃには、そのピン３０３ｅ，３０３ｆが通る長孔３０４ｆ，３０４ｇが穿設されている。こうすることにより運動の伝達方向を、昇降リンク３０４からの解錠方向という一方向に制限することができる。すなわち、錠手段３０３，３０３が図３の施錠状態にあるとき、ピン３０３ｅ，３０３ｆは、長孔３０４ｆ，３０４ｇの最下端にある。よって、昇降リンク３０４の上昇運動は、長孔３０４ｆ，３０４ｇが上昇してピン３０３ｅ，３０３ｆを押し上げる格好になるから、前記したように錠手段３０３，３０３の揺動運動に変換される。一方、錠手段３０３，３０３が何らかの外力を受けた場合の解錠方向（図３において時計回り）への揺動は、ピン３０３ｅ，３０３ｆが長孔３０４ｆ，３０４ｇ内を上向きに摺動する格好になるから、昇降リンク３０４に全く伝わらないのである。
【００３０】
また、上記のような運動の伝達方向を一方向に制限することを目的としたピンと長孔の組合せは、昇降リンク３０４自体にも採用されている。すなわち、原リンク３０４ａにはその上下両端にピン３０４ｈ，３０４ｉが植設され、一方、従リンク３０４ｂ，３０４ｃには該ピン３０４ｈ，３０４ｉが通る長孔３０４ｊ，３０４ｋが穿設されている。このピン３０４ｈ，３０４ｉと長孔３０４ｊ，３０４ｋの組合せは、昇降リンク３０４が図３の施錠位置にあるとき、原リンク３０４ａのピン３０４ｈ，３０４ｉが、従リンク３０４ｂ，３０４ｃの長孔３０４ｊ，３０４ｋの最上端に位置する設定になっている。従って、原リンク３０４ａを駆動源とする上昇運動は、ピン３０４ｈ，３０４ｉによる長孔３０４ｊ，３０４ｋの突き上げとなってそのまま従リンク３０４ｂ，３０４ｃに伝達されるが、逆に、従リンク３０４ｂ，３０４ｃの上昇運動は、従リンク３０４ｂ，３０４ｃの長孔３０４ｊ，３０４ｋがピン３０４ｈ，３０４ｉを残して上昇する格好になるため、原リンク３０４ａには全く伝達されない。また、同様に原リンク３０４ａを駆動源とする下降運動も従リンク３０４ｂ，３０４ｃに伝わらない。
【００３１】
［錠装置−昇降リンク＋カム部材］
前記のように昇降リンク３０４（原リンク３０４ａ）の係合孔４０Ｈ，４０Ｃ，４０Ｌは、カム部材３０２ｃの爪片３０Ｈ，３０Ｃ，３０Ｌに対応しているのであって、図３の施錠時には図６（ａ）のように中央の爪片３０Ｃのみが中央の係合孔４０Ｃに遊嵌し、他の爪片３０Ｈ，３０Ｌは係合孔４０Ｈ，４０Ｌから離間している。上記のように原リンク３０４ａは、コイルスプリング３０４ｄの弾性により上向きに付勢されているが、その力はカム部材３０２ｃを経由して回転不能の錠軸３０２ｂに伝わるため、原リンク３０４ａ、つまり昇降リンク３０４は動かない。
【００３２】
次に、錠部品３０２の前方から鍵Ｋを差し込んでカム部材３０２ｃを図６（ｂ）のように反時計回りに回転させた場合は、下の爪片３０Ｌが原リンク３０４ａの下の係合孔４０Ｌに係合してこれを押し上げるから、原リンク３０４ａが上昇する。このような原リンク３０４ａを駆動源とする上昇運動は、従リンク３０４ｂ，３０４ｃに伝わるから、前記のように昇降リンク３０４全体の上昇運動になる。
【００３３】
また、同様にカム部材３０２ｃを図６（ｃ）のように時計回りに回転させた場合は、上の爪片３０Ｈが原リンク３０４ａの上の係合孔４０Ｈに係合してこれを押し下げるから、原リンク３０４ａが下降する。このような原リンク３０４ａを駆動源とする下降運動は、前記のように従リンク３０４ｂ，３０４ｃに伝わらないから、原リンク３０４ａのみが下降する。なお、従リンク３０４ｂ，３０４ｃは、自己の側辺に突設した下動規制片３０４ｍをベース部材３０１に係止させることにより、施錠位置より下に下がらないようになっている。
【００３４】
［錠装置＋外本体の障壁部材］
前記のように外本体１００の開口には前方に突出部分４０１を有する障壁部材４００が設けられている。この障壁部材４００のうち、扉形前面部材２００の開き側に対応する外本体１００の側板１０２に設けたものは、扉形前面部材２００の開き側と外本体１００との突き合わせ部Ｓに対向し、また、扉形前面部材２００の開き側内側面２００ａ及び外本体１００内側面１０２ａと、錠装置３００との間に位置する。
【００３５】
［錠装置の動作説明］
通常、扉形前面部材２００は外本体１００の開口を塞ぐ閉じ位置にあり、このとき錠装置３００の錠手段３０３，３０３は、図３のように上下の係留片３０３ｃ，３０３ｃに引っ掛かった施錠位置にある。もちろん錠部品３０２には鍵Ｋが付けられておらず、従って、錠軸３０２ｂとカム部材３０２ｃは回転不能であり、その回転不能なカム部材３０２ｃの中央の爪片３０Ｃが原リンク３０４ａの中央の係合孔４０Ｃに係合している。
【００３６】
もし、この状態で昇降リンク３０４の原リンク３０４ａに、解錠方向たる上向きの不正な外力が作用した場合について考えると、まず、原リンク３０４ａは、カム部材３０２ｃの爪片３０Ｃと原リンク３０４ａの係合孔４０Ｃとの遊びに相当する量だけ変位し、原リンク３０４ａの係合孔４０Ｃの下辺がカム部材３０２ｃの爪片３０Ｃに当たる。爪片３０Ｃと係合孔４０Ｃの遊びは、両者が係合・離脱する際に不可欠なものであるが、その量はごく僅かであり、その範囲の原リンク３０４ａの変位によって錠手段３０３，３０３の施錠は解除されない。なお、実際には、原リンク３０４ａに対しコイルスプリング３０４ｄによる上向きの外力が常に作用しているため、上記のような不正な外力を受けるまでもなく、図６（ａ）のように原リンク３０４ａの係合孔４０Ｃの下辺とカム部材３０２ｃの爪片３０Ｃは当接している。
【００３７】
上記の状態からさらに原リンク３０４ａに上向きの不正な外力が作用すると、その外力がカム部材３０２ｃを介して錠軸３０２ｂに伝わる。しかし、錠部品３０２に鍵Ｋがない状態で錠軸３０２ｂは回転不能であり、この錠軸３０２ｂ及びカム部材３０２ｃが回転しない限り、原リンク３０４ａは動かない。従って、昇降リンク３０４を解錠操作しようとする不正な外力に対して、回転不能な錠軸３０２ｂの抵抗で対抗できる。
【００３８】
上記のような不正な外力は、多くの場合、図５に示した扉形前面部材２００の開き側と外本体１００の突き合わせ部Ｓをこじ開けてワイヤーを通し、そのワイヤーを昇降リンク３０４や錠手段３０３，３０３に引っ掛ける等の手口で行われるが、実施形態のスロットマシン１は、図５に示したように、扉形前面部材２００の開き側と外本体１００の突き合わせ部Ｓに対向させて障壁部材４００が設けてあるため、そもそもワイヤーの差し込みが行い難い。よしんば、障壁部材４００を乗り越えてワイヤーの差し込みに成功したとしても、ワイヤーが複雑に曲がりくねるため、昇降リンク３０４等への細工が容易でない。そしてさらに、ワイヤーが昇降リンク３０４等に偶然引っ掛かったとしても、曲がりくねったワイヤーを引っ張る抵抗は相当大きいため、昇降リンク３０４等に大きな力が掛からない。このことは、ワイヤーを使い昇降リンク３０４等に強大な力を加えて錠軸３０２ｂやカム部材３０２ｃの破壊を試みようとする乱暴な不正に対し極めて有効であることを意味する。このように障壁部材４００は、単にワイヤーの侵入を阻止するだけのものではなく、ワイヤーに加わる力に抵抗し錠軸３０２ｂやカム部材３０２ｃの損傷を防止する役目を担う。
【００３９】
次に、従リンク３０４ｂ，３０４ｃや錠手段３０３，３０３がワイヤーで施錠解除の方向に動かされた場合について考えると、前記したピン３０３ｅ，３０３ｆ，３０４ｈ，３０４ｉと長孔３０４ｆ，３０４ｇ，３０４ｊ，３０４ｋの組合せにより解錠方向の運動は、錠手段３０３，３０３から従リンク３０４ｂ，３０４ｃに、また、従リンク３０４ｂ，３０４ｃから原リンク３０４ａに伝達されないため、上下の錠手段３０３，３０３が個々に解錠されることはあっても、両方同時に解錠されるおそれはない。なお、昇降リンク３０４を柱とするリンク機構に依らずして、上下の錠手段３０３，３０３を同時に解錠させることは至難の業である。
【００４０】
［扉形前面部材の開閉操作］
閉じ位置にある扉形前面部材２００を正規に開く場合は、スロットマシン１の正面から錠部品３０２の鍵穴に図４のように鍵Ｋを差し込んで該鍵Ｋを時計回りに回す（※図４は、鍵Ｋを差し込んで時計回りに回した後の状態を示すものであるが、図４の拡大図については、説明の便宜上、鍵Ｋを差し込んだ直後の回転前の状態が示してある。）。そうすると図６（ｂ）においてカム部材３０２ｃが反時計回りに回転し、カム部材３０２ｃの下の爪片３０Ｌが原リンク３０４ａの下の係合孔４０Ｌに係合し、さらなる回転で原リンク３０４ａが上昇する。そうすると原リンク３０４ａと一体に従リンク３０４ｂ，３０４ｃが上昇し、その先の錠手段３０３，３０３の前方を突き上げる。これにより錠手段３０３，３０３の後方が下がって鍵部３０３ｂが係留片３０３ｃ，３０３ｃから外れるから扉形前面部材２００が開く。
次に、開いた扉形前面部材２００を閉じる場合は、扉形前面部材２００の開き側を外本体１００に向けて押し込めばよい。そうすると、錠手段３０３，３０３の傾斜した先端部分が係留片３０３ｃ，３０３ｃに擦れて図４のように回動し、スプリング３０３ｄの付勢によって施錠位置に自動的に復動する。このときの錠手段３０３，３０３の動きは、ピン３０３ｅ，３０３ｆが長孔３０４ｆ，３０４ｇ内を摺動するのみで、昇降リンク３０４に伝わらない。
【００４１】
［エラー解除操作］
スロットマシン１にトラブルが発生して遊技が中断した場合、トラブルからの復帰を制御装置に入力するためのスイッチ３０１ｅが、ベース部材３０１の起立基板３０１ｂのほぼ中央裏側（取付基板３０１ａの無い側）に設けられている。このスイッチ３０１ｅからリセット信号を発信するには、錠部品３０２の鍵穴に鍵Ｋを差し込んで該鍵Ｋを反時計回りに回す。そうすると図６（ｃ）においてカム部材３０２ｃが時計回りに回転し、カム部材３０２ｃの上の爪片３０Ｈが原リンク３０４ａの上の係合孔４０Ｈに係合し、その後のさらなる回転で原リンク３０４ａが下動する。なお、既に説明したように、原リンク３０４ａを駆動源とする下向きの運動は、ピン３０４ｈ，３０４ｉが長孔３０４ｊ，３０４ｋ内を摺動するのみで従リンク３０４ｂ，３０４ｃに伝わらない。
【００４２】
次に、原リンク３０４ａが下動すると、原リンク３０４ａ中央のスイッチ片３０４ｅが下動して、前記スイッチ３０１ｅのダイオード３０１ｆ，３０１ｆ間に割って入る。これによりスイッチ３０１ｅがリセット信号を発信し、スロットマシン１のエラー解除が実行される。なお、下動した原リンク３０４ａは、コイルスプリング３０４ｄで上向きに牽引されているから、カム部材３０２ｃと一緒に元位置に復動する。
【００４３】
［エラー解除操作−具体例］
メダルエンプティーエラー発生時に鍵Ｋを錠部品３０２の鍵穴に差し込んで扉形前面部材２００を開き、メダル放出装置１０５にメダルを補充して扉形前面部材２００を閉める。次いで、錠部品３０２に差し込んだままの鍵Ｋを反時計回りに回して、メダルエンプティーエラーを解除する。なお、この場合、鍵Ｋは、扉形前面部材２００を開いたときに一旦鍵穴から外し、エラー解除の段階で再度鍵穴に差し込むようにしてもよい。
【００４４】
以上、本発明を実施の形態について説明したが、もちろん本発明は上記実施形態に限定されるものではない。例えば、実施形態では、障壁部材４００を図５に示したように外本体１００に固着したが、図１０に示したように、障壁部材４００をベース部材３０１側に設けるようにしてもよい。また、図示しないが、障壁部材を外本体１００とベース部材３０１の双方から突出させるようにしてもよい。
【００４５】
また、実施形態では、従リンク３０４ｃを金属製の帯板で形成したが、例えば図１１のように、従リンク３０４ｃを線材で形成するようにしてもよい。そうすることにより従リンク３０４ｃの製造コストが低減できる。なお、線材は、引張り応力に対して強度を発揮するため、解錠操作時に引張り応力を受ける従リンク３０４ｃを線材に置き換えたが、曲がりにくい素材を選択すれば、図１１の従リンク３０４ｂを線材に置き換えてもよい。また、図１１の錠手段３０３，３０３の解錠方向を逆向きに変更し、解錠操作時に上の従リンク３０４ｂに引張り応力が作用する場合には、その上の従リンク３０４ｂを線材で形成すればよい。上の従リンク３０４ｂは、下の従リンク３０４ｃより長いため、より効果的にコストが削減できる。
【００４６】
また、実施形態では、カム部材３０２ｃに中央の爪片３０Ｃを突設してそれを原リンク３０４ａの係合孔４０に遊嵌させるようにしたが、逆に原リンク３０４ａに突起を形成してそれをカム部材３０２ｃの爪片３０Ｈ，３０Ｌ間に臨ませるようにしてもよい。
【００４７】
また、実施形態は、原リンク３０４ａ、従リンク３０４ｂ，３０４ｃの３リンクで昇降リンク３０４を形成したが、１本の長い昇降リンクにしてもよい。
【００４８】
また、実施形態は、スロットマシン１について説明したが、その他にもパチンコ機や、スロットマシン１のメダルをパチンコ球に置き換えた新種の遊技機などにも適用できる。なお、扉形前面部材にガラス扉を設けたパチンコ機のような遊技機では、原リンク３０４ａの下動でエラー解除の仕事を行わせる代わりに、原リンク３０４ａの下動でガラス扉の施錠を解除させる仕事を行わせるようにしてもよい。
【図面の簡単な説明】
【００４９】
【図１】要部拡大図を有する錠装置の斜視図である。
【図２】錠装置の分解斜視図である。
【図３】一部拡大図を有する錠装置の側面図である。
【図４】錠部品に鍵を装着して解錠方向に回した状態を示す錠装置の側面図である。
【図５】要部を示すスロットマシンの部分横断面図である。
【図６】（ａ）〜（ｃ）はカム部材の回転による変化を示す要部の正面図である。
【図７】扉形前面部材を開いた状態を示すスロットマシンの斜視図である。
【図８】図７のＡ，Ａ部の拡大図である。
【図９】スロットマシンの斜視図である。
【図１０】障壁部材の他の形態を示すスロットマシンの部分横断面図である。
【図１１】従リンクの他の形態を示す錠装置の斜視図である。
【符号の説明】
【００５０】
１…スロットマシン（遊技機）
１００…外本体
１０２ａ…外本体の内側面
２００…扉形前面部材
２００ａ…扉形前面部材の開き側内側面
３００…錠装置
３０２…錠部品
３０２ａ…錠主体
３０２ｂ…錠軸
３０２ｃ…カム部材
３０Ｈ，３０Ｃ，３０Ｌ…爪片
３０３，３０３…錠手段
３０４…昇降リンク
３０４ａ…原リンク
４０Ｈ，４０Ｃ，４０Ｌ…係合孔
３０４ｂ，３０４ｃ…従リンク
３０４ｈ，３０４ｉ…ピン
３０４ｊ，３０４ｋ…長孔
４００…障壁部材
Ｋ…鍵
【図１】
2008167823.tif 000003
【図２】
2008167823.tif 000004
【図３】
2008167823.tif 000005
【図４】
2008167823.tif 000006
【図５】
2008167823.tif 000007
【図６】
2008167823.tif 000008
【図７】
2008167823.tif 000009
【図８】
2008167823.tif 000010
【図９】
2008167823.tif 000011
【図１０】
2008167823.tif 000012
【図１１】
2008167823.tif 000013